(57)【特許請求の範囲】
【請求項１】
屋根の開口部の対向する平行な縁に沿って夫々設けられた左右の平行な走行路と、両走行路間に架設されて前後に移動可能に構成された多数の大梁と、前後の隣り合う大梁間に、大梁の長手方向の複数個所に、相互に独立して架設された複数の小梁と、隣り合う大梁間に配設される折り又は撓み可能な屋根材と、からなり、
前記各小梁は、両大梁の間隔が閉じたときに屈折された状態となって隣り合う大梁間を構造的に独立させるとともに、隣り合う大梁の間隔が開いたときに伸展した状態となって隣り合う大梁間を構造的に一体化させて隣り合う大梁とともに構造フレームを形成するものとしたことを特徴とする折り畳み式開閉屋根装置。
【請求項２】
前記大梁を少なくとも前後２個所において走行路に支持させることにより前記大梁の姿勢を走行路の勾配に対応して可変としたことを特徴とする請求項１に記載の折り畳み式開閉屋根装置。
【請求項３】
前記大梁を、側面視で、上面の前後幅が広く且つ下面の前後幅が狭い三角形の断面に形成するとともに、
前記小梁を、前後の中間部で下方に屈折可能な構造にするともに、側面視で、この屈折部に近い部分の厚みを相対的に大にし且つ前後の大梁への各枢着部分に向かうにつれて厚みを小にした形状にし、下方への屈折時に上面の前後幅が狭く且つ下面の前後幅が広くなるように構成したことを特徴とする請求項１に記載の折り畳み式開閉屋根装置。
【請求項４】
前記屋根材として膜材を用い、大梁の前後の間隔が開いたときに前記膜材に張力が負荷されて膜材に張りを与える張力付与機構を設けたことを特徴とする請求項１に記載の折り畳み式開閉屋根装置。
【請求項５】
前記屋根材として二重の膜材を用い、大梁の前後の間隔が開いたときに二重の膜材の間に空気圧を供給してこれら膜材に張りを与える張力付与機構を設けたことを特徴とする請求項１に記載の折り畳み式開閉屋根装置。
【発明の詳細な説明】
【０００１】
【発明の属する技術分野】
この発明は、折り畳み式開閉屋根装置に関し、特に大規模な建物に好適な折り畳み式開閉屋根装置に関する。
【０００２】
【従来の技術】
近年、屋根の全部又は一部を開閉式とする大規模な建物が運動施設或いは多目的施設等として普及しており、その一例として、変形しない移動屋根を、固定屋根の開口部と固定屋根の上又は下側の収納位置との間で移動させることにより屋根の一部を開閉式とするものがある。
【０００３】
しかし、この例では固定屋根の上又は下側に収納位置を設ける必要があるために屋根の開口率が限定されるとともに移動屋根の収納に広いスペースが必要となるという不具合がある。
そこで、移動屋根の収納時には移動屋根の長さを縮小して収納スペースを小さくできる折り畳み式の開閉屋根が特開平１０−１０２６６６号公報等に記載されるように提案されている。
【０００４】
この折り畳み式の開閉屋根は、屋根の開口部の左右の縁に沿って相互に平行に配置された走行路間に、走行路の延在方向たる前後方向に多数の開閉ユニットが配設されてなる。その開閉ユニットは、左右方向に長い平面トラスからなる一対のパネル状の開閉フレームの上端どうしを枢着してなり、両開閉フレームを下側において開閉できるようになっている。そして、両開閉フレームの下部の間は前記開閉が可能なように伸折可能な繋ぎ材で連結されて、横断面において二等辺をなす開閉フレームと底辺をなす繋ぎ材により略三角形をなしている。この横断面が略三角形をなす前後の開閉ユニットは前記開閉フレームの下端において連続されて全体として蛇腹式に連続する折り畳み式開閉屋根となっている。
【０００５】
【発明が解決しようとする課題】
前記公開公報に記載の開閉屋根においては、相互に枢着されて開閉する両開閉フレームが、左右の走行路の間にわたって左右に長い平面トラスからなるパネル状に構成されているために両開閉フレームはいわば剛構造をなしている。このため、開口部の幅が大きい大規模な開閉屋根になると開閉フレームの長さも大になるから、この開閉フレームには特に開閉移動時に撓みが生じて、両開閉フレームを枢着するヒンジのピンに過大な剪断力が負荷されることになる。このため、前記撓みを防止するために開閉フレームの平面トラスの剛性を上げると鉄骨量の増大を招いて構造的及び経済的に不利なものとなる不具合がある。
【０００６】
また、この蛇腹式の開閉屋根は前記のように剛性の高いパネル状の開閉フレームが前後に連続するものであるため、これらを走行路に沿って移動させるための左右の駆動装置の制御が、各開閉フレームに歪みが発生しないように精密であることが求められる結果、駆動装置の制御が複雑になるという不具合もある。
そこでこの発明の目的は、開閉のための走行中に部材の撓みが生じても開閉のためのヒンジのピンに無理な力が負荷されることがない折り畳み式屋根を得ることにあり、またこの発明の目的は、左右の走行路のスパンが大きい大規模な開閉屋根においても鉄骨量が少なく軽量な折り畳み式屋根を得ることにあり、またこの発明の目的は、左右の駆動装置の規模が小さくて足り、且つ左右の駆動装置の駆動制御が容易な折り畳み式屋根を得ることにある。
【０００７】
【課題を解決するための手段】
上記目的を達成するために、請求項１に記載の折り畳み式開閉屋根装置の発明は、屋根の開口部の対向する平行な縁に沿って夫々設けられた左右の平行な走行路と、両走行路間に架設されて前後に移動可能に構成された多数の大梁と、前後の隣り合う大梁間に、大梁の長手方向の複数個所に、相互に独立して架設され、隣り合う大梁の間隔が閉じたときに屈折された状態となって両大梁間を構造的に独立させるとともに、隣り合う大梁の間隔が開いたときに伸展した状態となって隣り合う大梁間を構造的に一体化させて隣り合う大梁とともに構造フレームを形成する複数の小梁と、隣り合う大梁間に配設される折り又は撓み可能な屋根材と、からなる。
【０００８】
ここで、大梁間を構造的に独立させるとは、各大梁間での力の伝達を遮断して各大梁は相互に拘束されず、自重と積載荷重などの自らに負荷される荷重のみを支持する状態をいう。また大梁間を構造的に一体化させるとは、隣接する両大梁間を小梁を介して拘束して、隣接する大梁どうしが共働して自重と積載荷重と風圧力などを支持する状態をいう。また構造フレームとは、屋根を構成する要素のうち隣接する大梁と大梁間の小梁とによって形成され、自重と積載荷重と風圧力などを支持するフレームをいう。
【０００９】
この請求項１に記載の発明によれば、大梁を前後に移動させることにより前後に連なる大梁の間隔が順次拡がって小梁は伸展しながら屋根が閉じ、又は前記間隔が順次縮小して小梁は屈折しながら屋根が折り畳まれて開くことになる。
この場合、屋根を閉じるときには、移動方向先端より順次大梁が移動し次行の大梁との間隔を大にすることにより小梁は伸展される。逆に屋根を開くときには後行の大梁がその移動方向前側の大梁に接近することにより小梁は屈折する。なお、前後方向の各大梁の移動の順序は前記に限定されるものではなく、移動方向後端から順次移動して最終的に屋根を閉じるものであってもよく、また移動方向前端から順次移動して屋根を開くものであってもよい。
【００１０】
ここで、各大梁の左右に走行駆動装置を設けて各大梁を自走式とした場合には、前後の大梁が前記の動作をするように各走行装置を逐次的に制御するものとする。このように各大梁に個別に走行駆動装置を設けると、個別の走行駆動装置は小型で足りるし、それらの荷重が走行路において分散して負荷されるから、走行路を支持するキールトラス等の部材の負担が小さくて済む。
【００１１】
また前後いずれかの端部をなす大梁に走行駆動装置を連結し、他の大梁には走行駆動装置を連結しない場合には、各大梁の移動は、駆動される大梁の動きにより小梁を介して次の大梁が移動され、順次他端部の大梁に向けて移動力が伝達されることになる。この場合には、走行駆動装置の数が少ないから、その制御が容易になる。
【００１２】
屋根の一つの開口部には一組の折り畳み式開閉屋根を設置して、これにより開口部全体を開閉できるようにすることもできるし、夫々別の折り畳み式開閉屋根を、走行路の長手方向である前後方向に一対設けることにより、両開きの開閉屋根にすることもできる。
ここで、折り畳み式屋根が開いているときには、小梁は屈折されて前後の大梁間を構造的に独立させる。このため各大梁間での力の伝達は遮断されて各大梁は相互に拘束されておらず、自重と積載荷重などの自らに負荷される荷重のみを個別に走行路に伝達する。このため、開口部の幅が大きい大規模な開閉屋根のために大梁の長さが大になって、開閉移動時に当該大梁に撓みが発生しても他の大梁にはその撓みが影響しない。また、小梁は大梁の長手方向の複数個所に相互に独立して架設されているものであるため、各小梁におけるヒンジの部分における大梁の撓みや歪み量は無視できる程度に小さく、したがって各ヒンジのピンに負荷される剪断力は小さい。このため大梁は撓みや歪みの発生が許容されるために、左右の走行路間のスパンが大である開閉屋根であっても鉄骨量を抑制して軽量化を計ることができ、また左右の走行体の非同調も許容されることになり大梁の駆動装置の制御も容易になる。
【００１３】
また、折り畳み式屋根が閉じているときには、小梁は伸展されて前後の大梁間を構造的に一体化して、隣接する大梁と、両者間の複数の小梁とで構造フレームが形成される。このため、隣接する両大梁間が小梁を介して拘束されて構造フレームが形成されるため、この構造フレームで自重と積載荷重と風圧力などを支持し両走行路に伝達することになる。このため、閉じている状態では折り畳み式屋根の強度が高くなる。
【００１４】
ここで、小梁を伸展させて前後の大梁間を構造的に一体化するには、前記走行駆動装置により大梁間の間隔を拡大すればよいが、小梁が伸展する最終工程において小梁が完全に伸展するには走行駆動装置に大きな負担がかかる場合がある。そのため、この最終工程においては、液圧又は空圧のシリンダ装置などの伸縮駆動部材を小梁の屈折部の前後に渡って掛け渡しておいて、これの動力の補助により最終的に小梁を伸展させると、前記走行駆動装置にかかる負担が小さくなるから、その規模を大きくする必要がなくなる。また、かかる伸縮駆動部材により小梁の伸展状態を維持することができるため、大梁に対して前後の大梁の間隔が狭くなる方向に入力があっても小梁は伸展状態を維持して前後の大梁間の構造的な一体化を強化できる。
【００１５】
また、前記伸縮駆動部材を使用することなく前記走行駆動装置による大梁の移動のみによって小梁を伸展させる場合には、前記伸縮駆動部材に代えて小梁の伸展状態を維持するロック機構を設ければよい。このロック機構が作動状態にあるときには前後の大梁間を構造的に一体化して前記構造フレームを形成する。逆に前記ロック機構の作動を解除すれば、小梁は屈折可能になって前後の大梁間を構造的に独立させることができる。
【００１６】
請求項２に記載の折り畳み式開閉屋根装置の発明は、前記大梁を少なくとも前後２個所において走行路に支持させることにより前記大梁の姿勢を走行路の勾配に対応して可変としている。すなわち、例えば大梁を左右両端においてそれぞれ前後２個所の車輪により走行路に支持させるものである。
この請求項２の発明によれば、大梁は前後２個所で支持されるから走行路の傾斜に応じて姿勢を変化させる。このため、屋根が傾斜する形式の折り畳み式屋根において、大梁と大梁間に架設される小梁との垂直面での角度、すなわち一方の走行路から他方の走行路の方向を見たときの大梁と小梁との角度は、走行方向の各位置において大体同一の角度になる。このため、折り畳み屋根を閉じたときの各位置での前記構造フレームの強度を同程度に設定することができる。また、大梁，小梁，屋根材及びこれらに関連する雨仕舞などの相対的な納まりが、前後方向においてほぼ同一になるため、これらの性能のばらつきが少なく経済的に開閉屋根を作ることができる。
【００１７】
請求項３に記載の折り畳み式開閉屋根装置の発明は、前記大梁を、側面視で、上面の前後幅が広く且つ下面の前後幅が狭い三角形の断面に形成するとともに、前記小梁を、前後の中間部で下方に屈折可能な構造にするともに、側面視で、この屈折部に近い部分の厚みを相対的に大にし且つ前後の大梁への各枢着部分に向かうにつれて厚みを小にした形状にし、下方への屈折時に上面の前後幅が狭く且つ下面の前後幅が広くなるように構成している。
【００１８】
この請求項３の発明によれば、開閉屋根が開いて大梁の間隔が狭くなったときには、前後の大梁の間には上が狭く下が広い空間が形成されるが、屈折された小梁は上面の前後幅が狭く且つ下面の前後幅が広いから、大梁どうしの間の空間に適合させて小梁を収容することができ、以て、開閉屋根を開いたときに開閉屋根の折り畳み長さを小さくすることができる。
【００１９】
請求項４に記載の折り畳み式開閉屋根装置の発明は、前記屋根材として膜材を用い、大梁の前後の間隔が開いたときに前記膜材に張力が負荷されて膜材に張りを与える張力付与機構を設けている。
これによって、膜材に張りが与えられるから屋根材としての形状が安定して風によるばたつきが防止され且つ雨水の流れも円滑になる。
【００２０】
請求項５に記載の折り畳み式開閉屋根装置の発明は、前記屋根材として二重の膜材を用い、大梁の前後の間隔か開いたときに二重の膜材の間に空気圧を供給してこれら膜材に張りを与える張力付与機構を設けており、これによっても、膜材に張りが与えられて、屋根材としての形状が安定することにより風によるばたつきが防止され且つ雨水の流れも円滑になる。
【００２１】
【発明の実施の形態】
図はこの発明の実施の形態を示すものであり、図１は折り畳み式開閉屋根装置の斜視説明図である。ここでは、左右の走行レール１１の全長にわたる片開きの折り畳み式開閉屋根１５を用い、説明の便宜のために右半部において開閉屋根１５が閉じた状態を示し、また、左半部において開閉屋根１５を開いた状態から右方に閉じ始めた状態を示している。
【００２２】
また、図２は左右の走行レール１１に一つの開閉屋根１５を架設しており、説明の便宜のために、同図の左半部は開閉屋根１５の全体を左方へ移動させて開いた状態の屋根の全体を示し、同図の右半部は開閉屋根１５を閉じた状態の屋根の約半分を示している。この発明においては片開きと両開きのいずれの開閉屋根１５をも含むものであるが、以下においては走行レール１１に一つの開閉屋根１５が架設された片開きの実施形態に基づいて説明する。
【００２３】
また、この実施形態では、建物の本体については省略しており、その固定屋根１６が図３に示されるだけであるが、建物としては、スポーツ施設，コンサートホール，多目的ホール等の大型の建物であれば各種のものに適用することができる。
前記固定屋根１６の中央部には平面長方形の開口部２６が開口しており、この開口部２６の長辺の縁に沿って、固定屋根１６の下側にはキールトラス１０が架設されている。キールトラス１０の両端は建物における柱などの耐荷部分に支持されていて、折り畳み式開閉屋根１５と固定屋根１６の荷重をキールトラス１０を介して前記耐荷部分が支持している。
【００２４】
キールトラス１０の上側では固定屋根１６の縁に走行路たる走行レール１１が設けられている。走行レール１１は開口部２６の左右の長辺の縁に沿い平面視において平行をなしており、固定屋根１６は中央部が高く周囲部が低い形状をしているため、左右の走行レール１１もそれに倣って側面視において同一のアーチ型をしている。
【００２５】
各走行レール１１には車輪等からなる走行体１７が走行レール１１に沿って走行自在に係合している。この走行体１７を介して後述の大梁１２が左右の走行レール１１間に走行自在に架設されるが、大梁１２の左右両端においては、各大梁１２には前後２個所の走行体１７が取付られる。そして、図示しないが、各大梁１２の左右両端においては前後の走行体１７の少なくとも一方に、大梁１２を走行駆動するための駆動装置が設けられている。したがって、各大梁１２は左右に走行駆動装置を備えていることになる。駆動装置としては、大梁１２を往復走行させるための力を付与できる装置であれば各種のものを採用することができる。例えば走行体１７を車輪とし、この車輪の車軸に直接又はギヤを介して連結された電動又は油圧モータもその一つである。また走行体１７としては、走行レール１１に沿って摺動する機構のものなど、走行レール１１に係合したまま走行レール１１に沿って移動できるものを全て適用することができる。
【００２６】
前記の走行体１７をそれぞれ介して左右の走行レール１１間に架設され、且つ走行レール１１上を走行する大梁１２としては、上弦材１２ａと下弦材１２ｂとラチスバー１２ｃとウェブ材１２ｄとからなるトラス梁を用いている。かかる大梁１２の上弦材１２ａは前後幅が広く、且つ下弦材１２ｂは前後幅が狭くなっていて、断面は上が広い三角形をなしている。また、上弦材１２ａは左右に渡って同一高さをなすが、下弦材１２ｂは左右において高く、中央において低くなっており、したがって大梁１２は中央の上下寸法が左右より大になっている。
【００２７】
かかる大梁１２の左右端において、上弦材１２ａの下面にブラケット１８を介して前記走行体１７が取付けられ、以て大梁１２が左右の走行レール１１間に、前後に移動自在に架設されており、前後方向に多数の大梁１２が同様にして配設されている。また、前記走行体１７は各大梁１２の左右両端において前後複数が取付けられているから、走行レール１１の前後方向における傾斜に応じて大梁１２が前後に傾斜するようになっている。したがって、全体として側面視アーチ形をなす走行レール１１における各大梁１２の位置に応じて各大梁１２の前後傾斜角が変化するようになっている。なお、図６においては大梁１２の左端部分が示されているが、右端部分はこれと左右対称に表れる。
【００２８】
走行レール１１に配設される前後の各大梁１２の間には小梁１３を渡設するとともに、各小梁１３の上側には各大梁１２間に膜材からなる屋根材１４を張設している。前記小梁１３は、大梁１２の間で、梁１２の長手方向の複数個所において相互に独立させて渡設されている。
小梁１３は、図５及び図６に示されるように、前部分１３ａと後部分１３ｂと、これらの間の中部分１３ｃとからなる。前部分１３ａは上弦材１９ａと下弦材１９ｂと垂直材１９ｃとからなり、上弦材１９ａは、それぞれ幅方向に並べられ且つ前後に延在する複数の鋼材を、長手方向の複数個所で幅方向の連結材と筋違いにより剛結合してなり、下弦材１９ｂは上弦材１９ａよりも若干短いが上弦材１９ａと同様の構造を有し、上弦材１９ａの前端近くに下弦材１９ｂの前端が固定されるとともに上弦材１９ａと下弦材１９ｂの後端は垂直材１９ｃを介して剛結合されて、以て小梁１３の前部分１３ａは側面視において後端部の上下厚みが大な三角形をなしている。また後部分１３ｂは前記前部分１３ａと前後対称に形成されて同一構造を有している。さらに、中部分１３ｃは前記前部分１３ａ及び後部分１３ｂと比較して短い鋼材を剛結合して、前記前部分１３ａの後端部と同一厚みをもつ直方体に形成されている。
【００２９】
前部分１３ａの後端と中部分１３ｃの前端とは同一高さを有していて、上端部においてヒンジ２１を介して枢着され、後部分１３ｂの前端と中部分１３ｃの後端も同一高さを有していて、上端においてヒンジ２１を介して枢着されて、前部分１３ａと中部分１３ｃと後部分１３ｂとで小梁１３を構成している。かかる小梁１３は前後端において前後の大梁１２にヒンジ２２を介して枢着されており、以て、前後の大梁１２の間隔が狭くなったときに下に屈折して中部分１３ｃが下降するようになっている。図５における右側の小梁１３が伸展した状態であり、同左側の小梁１３が屈折した状態を示している。
【００３０】
小梁１３を前記構造にしたため、下方への屈折時には、図５における左側の小梁１３のように、小梁１３は上面の前後幅が狭く且つ下面の前後幅が広くなるように構成されているから、上面の前後幅が広く且つ下面の前後幅が狭い前後の大梁１２が接近したときの、両大梁１２間の空間に適応する。このため、開閉屋根１５が開いたときに開閉屋根１５の折り畳み長さが短くなり、開閉屋根１５が占める空間が狭くなるから、開口部２６を大きく開放することが可能となる。
【００３１】
また、小梁１３には前部分１３ａと後部分１３ｂとの間に中部分１３ｃがあるため、前記屈折状態においては前部分１３ａと後部分１３ｂとの間に空間が形成されて、この空間が膜材からなる後述の屋根材１４を格納するための空間になる。このため、屋根材１４が前部分１３ａと後部分１３ｂとの間に挟まれて圧縮されることがないから、屋根材１４の劣化を防止することができる。
【００３２】
小梁１３と前後の大梁１２とを枢着するヒンジ２２、及び小梁１３の中部分１３ｃと前後の部分１３ａ，１３ｂを枢着するヒンジ２１は、いずれも十分な強度を有している。そして、前後の大梁１２の間にある複数の小梁１３のうち大梁１２の左右の端部に近い小梁１３において、前部分１３ａと中部分１３ｃとの間、及び後部分１３ｂと中部分１３ｃとの間に、いずれもシリンダ装置からなる油圧ジャッキ２０を渡設しておくが、油圧ジャッキ２０に代えて空圧ジャッキを使用することもできる。一方の油圧ジャッキ２０はシリンダチューブを前部分１３ａに枢着し、そのピストンロッド先端を中部分１３ｃに枢着してあり、他方の油圧ジャッキ２０はシリンダチューブを後部分１３ｂに枢着し、そのピストンロッド先端を中央部分１３ｃに枢着してある。
【００３３】
この油圧ジャッキ２０を大梁１２の左右の端部に近い小梁１３に設けたのは、開閉屋根１５を開いたときに油圧ジャッキ２０と大梁１２との干渉を避けるためのものであり、左右の小梁１３の部位においては、大梁１２の下弦材１２ｂが油圧ジャッキ２０より高い位置にあるから、開閉屋根１５を開いたときに前記干渉のおそれがない。なお、かかる干渉のおそれのない場合には、左右方向における全部の小梁１３に前記油圧ジャッキ２０を設けることもできる。また、大梁１２を挟む前後の小梁１３間で油圧ジャッキ２０どうしが干渉するおそれがあるときには、小梁１３における油圧ジャッキ２０の取付位置を左右に偏寄させておけばよい。図６には小梁１３の前部分１３ａ側と後部分１３ｂ側の各油圧ジャッキ２０を左右に偏寄させた状態が示されており、大梁１２を介して前後に連続する各小梁１３において同様の配置にしている。
【００３４】
かかる油圧ジャッキ２０には２つの使用形態がある。第１は、小梁１３の伸展時の最終工程で大梁１２の移動による小梁１３の伸展を補助するものであり、したがって油圧ジャッキ２０の収縮力を補助力として小梁１３を最終的に伸展させ、この状態を維持させるものである。また、小梁１３を屈折するときには前後の大梁１２どうしを接近させつつ油圧ジャッキ２０を伸長させて屈折の補助とする。これにより小梁１３が屈折を開始するがその後は大梁１２の移動のみによって前記屈折は進行する。かくして、油圧ジャッキ２０は小梁１３の伸展時の最終工程及びその屈折時の初期工程で小梁１３の屈伸の補助をするとともに小梁１３の伸展状態を維持する。この場合には小梁１３の屈伸における他の工程においては油圧ジャッキ２０はフリーになっていて、小梁１３の屈伸に伴って伸縮するようにしておく。したがって、この場合の油圧ジャッキ２０は伸縮駆動部材の機能の他に、小梁１３の伸展状態をロックするロック機構としての機能を有する。
【００３５】
また、油圧ジャッキ２０の使用形態の第２は、小梁１３の伸縮を大梁１２の移動によってのみ行い、小梁１３の伸展時にその状態をロックするロック機構としての使用形態がある。この場合には前記ロック動作と、ロックの解除との間の切り換えのみを行えばよい。したがってこの使用形態においては必ずしも油圧ジャッキ等のシリンダ装置でなくとも、上記のロック，アンロックの切り換え可能な部材又は装置であれば使用することができる。
【００３６】
小梁１３の伸展した状態をロックさせて両大梁１２間を構造的に一体化させると、小梁１３は全体が一本の梁として機能するから両大梁１２とともに構造フレームを形成する。また、小梁１３が屈折したときには両大梁１２間が構造的に独立したことになる。
前側の大梁１２の後縁と、後側の大梁１２の前縁との間には小梁１３の上側を経由した膜材からなる屋根材１４が掛け渡されている。符号２４ａが大梁１２における屋根材１４の定着部である。また、小梁１３の前記中部分１３ｃの上面に立設された縦棒の上端にも、前記屋根材１４の前後方向中間部を定着する定着部２４ｂが設けられている。これら定着部２４ａ，２４ｂはいずれも左右方向に延在する棒材からなる。
【００３７】
前記定着部２４ｂを小梁１３の中部分１３ｃに支持する前記縦棒の長さを適宜に設定することにより、小梁１３の伸展状態では屋根材１４に張力が付与されて屋根材１４に所定の張りが出るようにしてあり、よって、前記定着部２４ｂと前記縦棒とによって屋根材１４の張力付与機構を構成している。
さらに、各大梁１２の上弦材１２ａには大梁１２の上面全体にわたって平板が備えられて、これも屋根材の一部をなし、屋根材の全体は、前後方向に膜材１４と大梁１２上面とが交互に連続して構成され、前記定着部２４ａにおいては、膜材１４と大梁１２上面との間の雨仕舞は十分になされている。膜材１４の左右端と固定屋根１６との間の各雨仕舞も図示しない手段により十分になされていることは勿論である。
【００３８】
なお、この実施形態では屋根材１４として膜材を用いたが、前記定着部２４ｂにおいて屈折可能な板材により屋根材１４を構成してもよい。この場合には小梁の伸長時及び屈折時において前側の定着部２４ａ，２４ｂ間、及び後側の定着部２４ａ，２４ｂ間の距離が常時同一になるように、定着部２４ｂの高さを設定しておけばよい。また、開閉屋根１５をなす閉じ側の端部では、最終端の大梁１２と固定屋根１６又は建物本体との間に屋根材１４が張設されることになる。
【００３９】
前記大梁１２における上弦材１２ａの前後一方の縁には、隣接する大梁１２における上弦材１２ａの縁に向けて蓋２３が突設されている。この蓋２３は大梁１２の長さ方向に渡って連続していて、開閉屋根１５が開いて前後の大梁１２が接近したときに、両大梁１２間に掛け渡されて、これらの間の雨仕舞となるように施蓋するようになっている。この蓋２３の開閉は、シリンダ装置などの駆動装置により動作するようにしてもよいし、隣接する大梁１２の移動力を利用して動作するようにしてもよい。
【００４０】
而して、開閉屋根１５の大梁１２を、この大梁１２の走行体１７に設けられた走行駆動装置を駆動させて前後いずれかに移動させると、前後の大梁１２の間隔が順次拡がり、小梁１３は伸展しながら屋根１５が閉じ、又は前記間隔が順次縮小し、小梁１３は屈折しながら屋根１５が折り畳まれて開くことになる。
この場合、開閉屋根１５を閉じるときには、図１における左半部に示すように、大梁１２が太矢印方向に順次走行することにより小梁１３は伸展される（図５における右側の小梁１３の状態）。また逆に開閉屋根１５を開くときには各大梁１２の走行駆動装置の動力により各大梁１２が前記閉じるときの逆方向に走行して、隣接する大梁１２間が接近することにより、小梁１３は屈折し（図５における左側の小梁１３の状態）、開閉屋根１５が収納位置に順次折り畳まれていく。かくして、開閉屋根１５の開閉は一端部の大梁１２から他端部の大梁１２に向けて各大梁１２が順次移動することによって行われる。
【００４１】
このとき、この実施形態のように走行レール１１の勾配が位置によって変動する斜路である場合には、大梁１２は走行レール１１の勾配の変化に対応して姿勢を変化させる。すなわち、大梁１２の上下方向を向く中心線が、走行レール１１のうち当該大梁１２の走行体１７が係合している部分に対して直角をなす。そして、全体としては側面アーチ状をなす走行レール１１も、その一部、すなわち長手方向における前後２つの大梁１２間では直線に近い状態にあるから、前後の大梁１２間では両大梁１２の姿勢は殆ど同一となる。
【００４２】
このため、開閉屋根１５が閉じて小梁１３が伸展した状態では、前後の大梁１２とそれらの間の小梁１３との垂直面での角度は、走行レール１１の前後方向の各位置において大体同一の角度になる。したがって、開閉屋根１５を閉じたときの各位置での、前後の大梁１２とこれらの間の小梁１３とにより構成される構造フレームの強度は、開閉屋根１５の前後方向においていずれも同等のものにすることができるし、また大梁１２，小梁１３，屋根材１４，雨仕舞などの相対的な納まりが大体同一になるため各部の性能のばらつき等が少なく、また経済的でもある。
【００４３】
また、前記小梁１３は、前後の大梁１２の間に複数が配置され、これらは左右に渡って所定間隔に且つ相互に独立して大梁１２間に渡設されているから、各ヒンジ２２の部分における大梁１２の撓みや歪み量は無視できる程度に小さく、したがって各ヒンジ２２のピンに負荷される剪断力は小さい。
このように大梁１２は撓みや歪みの発生が許容されるために、左右の走行レール１１間のスパンが大である開閉屋根１５であっても、鉄骨量を抑制して軽量化を計ることができ、また左右の走行体１７も高精度に同調することが要求されないから、各大梁１２の駆動装置の制御も容易になる。またヒンジ２２のピンに無理な力が加わらないため、小梁１３の屈折及び伸長作動がこの点においても円滑になる。
【００４４】
以上の実施形態では、屋根材１４として一重の膜材を用いた例を説明したが、図７に示すように、前記屋根材１４として二重膜を用いることもできる。この屋根材１４は、小梁１３の上面に相当する部位では二重膜の間に空気が入らないようにしてあり、左右の小梁１３の間において内部に空気を注入し、その部分が上下に膨らむようになっている。そして、開閉屋根１５が閉じたときには二重膜内に空気を注入する一方開閉屋根１５が開くときには二重膜内の空気を排出するように構成してある。これにより開閉屋根１５が閉じたときには断熱性の高い屋根とすることができる。
【００４５】
この場合には、図５の実施の形態において説明した定着部２４ｂ及びこれを支持する縦棒は存在しない。また、図７における大梁１２，小梁１３その他の部位の構成及び作用は図１〜図６において示した前記実施形態と同一である。
この二重膜構造の場合には、膜材を二重にした点と、空気圧によりこれを膨らませる構成とによって、膜材に張りを与える張力付与機構を構成している。この張りによって屋根材１４の形状が保持される。
【００４６】
以上の実施形態では、固定屋根１６の一つの開口部２６に一組の折り畳み式開閉屋根１５を設置して片開きとし、これにより開口部２６全体を開閉できるようにしたが、夫々別の折り畳み式開閉屋根１５を前後方向に一対設けることにより両開きにした場合には、屋根を閉じたときに、両開閉屋根１５の移動先端をなす大梁１２どうしが接合することになる。このため、接合される大梁１２どうしの間には、一方の梁１２に他方の梁１２の上面に至る庇などを設け、或いは少なくとも一方の大梁１２の接合面にゴム質のウェザーストリップ（シール材）を設けることにより、両大梁１２間の雨仕舞いを施しておくものとする。
【００４７】
また、両開閉屋根１５を開く動作が開始するまでの間は前記大梁１２どうしの接合を維持できるようにロック機構を設けておき、このロック機構は、走行体１７の駆動装置に連動して、同駆動装置が開閉屋根１５を開くための駆動を開始するときに前記のロック機構を解除するようにしておくと好適である。
【００４８】
【発明の効果】
以上説明したように、請求項１の発明によれば、折り畳み式屋根が開いているときには前後の大梁間を構造的に独立させるから、大梁は自重と積載荷重などの自らに負荷される荷重のみを個別に走行路に伝達するため、大梁の長さが大になって開閉移動時に当該大梁に撓みが発生しても他の大梁にはその撓みが影響しない。また、小梁は大梁の長手方向の複数個所に相互に独立して架設されているものであるため、各小梁におけるヒンジの部分における大梁の撓みや歪み量は無視できる程度に小さく、したがって各ヒンジのピンに負荷される剪断力は小さい。このため大梁は撓みや歪みの発生が許容されるために、左右の走行路間のスパンが大である開閉屋根であっても鉄骨量を抑制して軽量化を計ることができ、また左右の走行体の非同調も許容されることになり大梁の駆動装置の制御も容易になるという効果がある。
【００４９】
また、折り畳み式屋根が閉じているときには、小梁は伸展されて前後の大梁間を構造的に一体化して、隣接する大梁と、両者間の複数の小梁とで構造フレームが形成され、隣接する両大梁間が小梁を介して拘束されて構造フレームが形成されるため、この構造フレームで自重と積載荷重と風圧力などを支持し両走行路に伝達することになるから、閉じている状態での折り畳み式屋根の強度が高くなる効果もある。
【００５０】
また、請求項２に記載の発明によれば、請求項１の発明の前記効果に加えて、大梁が走行路の傾斜に応じて姿勢を変化させるものであるため、屋根が傾斜する形式の折り畳み式屋根が閉じた状態では、大梁と大梁間に架設される小梁との垂直面での角度は、走行方向の各位置において大体同一の角度になるから、前後方向の各位置での構造フレームの強度を同程度に設定することができ、開閉屋根全体として強度を均一にすることができる効果がある。
【００５１】
さらに、請求項３に記載の発明によれば、請求項１の発明の前記効果に加えて、開閉屋根が開いて大梁の間隔が狭くなったときには、前後の大梁の間には上が狭く下が広い空間が形成される一方、屈折された小梁は上面の前後幅が狭く且つ下面の前後幅が広いから、大梁どうしの間の空間に適合させて小梁を収容することができ、以て、大梁間に無駄な空間がなくなるから開閉屋根を開いたときに開閉屋根の折り畳み長さを小さくすることができる効果がある。
【００５２】
さらに、請求項４及び請求項５に記載の発明によれば、屋根材の張力付与機構により、屋根材としての膜材に張りが与えられて、屋根材としての形状が安定することにより風によるばたつきが防止され且つ雨水の流れも円滑になる。
【図面の簡単な説明】
【図１】開閉屋根の斜視説明図であり、片開きの折り畳み式開閉屋根を使用した場合を示している。
【図２】開閉屋根の側面図であり、片開きの折り畳み式開閉屋根を使用し、左半部はそれを開いた状態、右半部はそれを閉じた状態を示している。
【図３】開閉屋根と固定屋根の、大梁に沿う方向の縦断面図である。
【図４】２本の大梁とそれらの間の小梁との関係を示す説明図であり、左半部は平面図、右半部は屋根材を切り欠いた状態の平面図である。
【図５】前後の大梁と、これらの間の小梁との関係を示す拡大側面図である。
【図６】大梁の左端部と固定屋根との関係を示す説明図である。
【図７】屋根材に二重膜を用いた実施形態の、図５と同様の拡大側面図である。
【符号の説明】
１１      走行レール（走行路）
１２      大梁
１３      小梁
１４      屋根材
１５      開閉屋根
１６      固定屋根
１７      走行体
２１，２２  ヒンジ
２４ａ，２４ｂ      膜材の定着部
２６      固定屋根の開口部
【図１】
0004148335.tif 000002
【図２】
0004148335.tif 000003
【図３】
0004148335.tif 000004
【図４】
0004148335.tif 000005
【図５】
0004148335.tif 000006
【図６】
0004148335.tif 000007
【図７】
0004148335.tif 000008